(57)【要約】【課題】コリメートレンズの可動と、フロントモニタにおける光の干渉による影響の軽減とを、両立させた光ピックアップ装置を提供する。【解決手段】ダイクロミラー１４は、断面が上底ｄかつ下底ｄ＋Δｄの台形となるくさび形状の四角柱（台形柱）である。このダイクロミラー１４は、コリメートレンズ１３から出射される平行光を上面に受けて、平行光の大半を波長板１５に向けて上面で反射する。また、このダイクロミラー１４は、平行光の一部を、上面を透過させて上面と向かい合う下面からフロントモニタ１７へ向けて出力する。さらに、ダイクロミラー１４は、コリメートレンズ１３から入射される光の光軸ｘ及び波長板１５に向けて出射される光の光軸ｙで形成されるｘｙ平面と、下面の法線ベクトルＮとが交わる方向に、下面が上面に対して角度φの傾斜を持つ。【選択図】図２Ａ
2011028831.tif 000002
【特許請求の範囲】
【請求項１】
光ディスクに照射する光量を制御する光ピックアップ装置であって、
波長の光を出射する光源と、
前記光源から出射された光を、焦点距離に応じて平行光、発散光、及び収束光のいずれに変換するコリメートレンズと、
前記コリメートレンズから出力される光の一部を前記光ディスクに向けて上面で反射し、当該光の残りを上面及び上面と向かい合った下面を透過させるダイクロミラーと、
前記ダイクロミラーを透過した光を検出し、その検出結果に応じて前記光源から出射される光の量を制御するフロントモニタとを備え、
前記ダイクロミラーは、前記コリメートレンズから入射される光の光軸及び前記光ディスクに向けて出射する光の光軸で形成される平面と、下面の法線ベクトルとが交わる方向に、下面が上面に対して角度φの傾斜を持つことを特徴とする、光ピックアップ装置。
【請求項２】
前記光源は、ブルーレイディスク光学系の光ディスクの記録及び再生に適した青色波長の光を出射することを特徴とする、請求項１に記載の光ピックアップ装置。
【請求項３】
前記ダイクロミラーが持つ前記角度φは、０．０４°以上かつ０．２°以下の範囲の値であることを特徴とする、請求項１に記載の光ピックアップ装置。
【請求項４】
光ディスクに照射する光量を制御する光ピックアップ装置であって、
互いに異なる波長の光を出射する複数の光源と、
前記複数の光源から出射された複数の光を、焦点距離に応じて平行光、発散光、及び収束光のいずれに変換するコリメートレンズと、
前記複数の光のそれぞれに一意に対応して設けられ、前記コリメートレンズから出力される前記複数の光のうち、対応する光の一部を前記光ディスクに向けて上面で反射し、当該対応する光の一部以外を上面及び上面と向かい合った下面を透過させる複数のダイクロミラーと、
前記複数のダイクロミラーを透過した光を検出し、その検出結果に応じて前記複数の光源から出射される前記複数の光の量を制御するフロントモニタとを備え、
前記複数のダイクロミラーのいずれか１つは、前記コリメートレンズから入射される光の光軸及び前記光ディスクに向けて出射する光の光軸で形成される平面と、下面の法線ベクトルとが交わる方向に、下面が上面に対して角度φの傾斜を持つことを特徴とする、光ピックアップ装置。
【請求項５】
前記複数の光源の１つは、ブルーレイディスク光学系の光ディスクの記録及び再生に適した青色波長の光を出射し、
前記複数の光源の他の１つは、デジタル多用途ディスク光学系の光ディスクの記録及び再生に適した赤色波長の光を出射し、
前記複数の光源のさらに他の１つは、コンパクトディスク光学系の光ディスクの記録及び再生に適した赤外線波長の光を出射することを特徴とする、請求項４に記載の光ピックアップ装置。
【請求項６】
前記いずれか１つのダイクロミラーが持つ前記角度φは、０．０４°以上かつ０．２°以下の範囲の値であることを特徴とする、請求項４に記載の光ピックアップ装置。
【発明の詳細な説明】
【技術分野】
【０００１】
本発明は、光源からの光出力を制御する光ピックアップ装置に関する。
【背景技術】
【０００２】
光ディスクの記録層からの情報読み出し又は記録層への情報書き込みに用いられる光ピックアップ装置では、光ディスクの記録層に対して適切な光強度で光照射が行われるように、光源から放射した光の一部をモニタして光源の光出力を制御するフロントモニタが備えられている。
【０００３】
このフロントモニタを用いた光強度制御装置として、例えば特許文献１に開示された技術が知られている。図１０は、この特許文献１に開示されている従来の光ピックアップ装置１０１の光学的な概略構成を示す図である。
【０００４】
図１０において、従来の光ピックアップ装置１０１は、光源１１１と、コリメートレンズ１１３と、ダイクロミラー１１４と、対物レンズ１１６と、フロントモニタ１１７と、検出レンズ１１８と、光検出器１１９とを備える。光ディスク１５０は、光ピックアップ装置１０１によって情報が書き込まれたり読み出されたりする記録媒体である。
【０００５】
光源１１１は、所定の波長を有する光を出射する。コリメートレンズ１１３は、光源１１１から出射された拡散光を平行光に変換する。ダイクロミラー１１４は、断面が上底ｄかつ下底ｄ＋Δｄの台形であるくさび形状の四角柱（台形柱）である（図２Ｂを参照）。このダイクロミラー１１４は、コリメートレンズ１１３から出射される平行光を上面（上底及び下底以外の辺からなる側面）に受けて、平行光の大半を対物レンズ１１６に向けて反射すると共に、上面を透過する平行光の一部を上面と向かい合う下面からフロントモニタ１１７へ向けて出力する。対物レンズ１１６は、光ディスク１５０の記録層に光の焦点を合わせる。フロントモニタ１１７は、ダイクロミラー１１４を透過した光を受光して、光源からの光出力を最適に制御する。光ディスク１５０から反射されてくる情報光は、検出レンズ１１８を介して光検出器１１９で受光される。
【０００６】
一般に、フロントモニタ１１７が受信するモニタ光には、ダイクロミラー１１４を透過する透過光と、ダイクロミラー１１４の内面を２回以上反射した後に出力される内面反射光とが存在する。この透過光と内面反射光とがフロントモニタ１１７で干渉すると、干渉によって生じる干渉縞の明暗が光の波長変動等によって動き、フロントモニタ１１７が取得する受光量が変動する。この結果、光源の光出力制御に異常をきたし、安定した光量を得ることができなくなる。
【０００７】
このため、従来の光ピックアップ装置１０１では、フロントモニタ１１７の有効受光領域（受光部）において、透過光と内面反射光とによって生じる干渉の影響を軽減させるために、透過光と内面反射光とに角度差Δθを設けている（図３Ｂの（ａ１））。具体的には、ダイクロミラー１１４に入射される光の光軸ｘ及びダイクロミラー１１４から出射される光の光軸ｙで形成されるｘｙ平面と、下面の法線ベクトルＮとが平行になる方向に、上面に対して下面が角度θの傾斜を持つように設計されている（図２Ｂを参照）。
【先行技術文献】
【特許文献】
【０００８】
【特許文献１】特開２００４−５９４４号公報
【発明の概要】
【発明が解決しようとする課題】
【０００９】
近年、ＢＤ（ブルーレイディスク）光学系、ＤＶＤ（デジタル多用途ディスク）光学系、及びＣＤ（コンパクトディスク）光学系の全ての光ディスクに対応するマルチメディア光ピックアップ装置の開発が求められている。しかしながら、そのマルチメディア光ピックアップ装置を実現するにあたり、次のような課題がある。
【００１０】
周知のように、各種光ディスクによって情報を記録する記録層の深さが異なる。また、記録層が二層化されている光ディスクもある。このため、コリメートレンズ１１３を光軸方向に前後に移動させる機構を用いて（図示せず）、光ディスク１５０のそれぞれの記録層位置に光の焦点を合わせる制御が必要になる。
【００１１】
ところが、図１１に示すように、コリメートレンズ１１３は、平行光を出力することができる光源との焦点距離Ｌが予め定められており、距離Ｌ−ΔＬの場合には光が発散し、距離Ｌ＋ΔＬの場合には光が収束する特性を持つ。
【００１２】
このため、上述のように、コリメートレンズ１１３から平行光が出射されることを前提に設計されたくさび角θをダイクロミラー１１４が有していても、コリメートレンズ１１３の移動によって生じた発散光や収束光よる内面反射光が透過光と平行になることがあり（図３Ｂの（ｂ１））、干渉を生じさせてしまう。つまり、従来のダイクロミラー１１４をマルチメディア光ピックアップ装置等に用いる場合には、コリメートレンズの可動とフロントモニタにおける干渉による影響の軽減とが、トレードオフの関係にあるという問題が残る。
【００１３】
それ故に、本発明の目的は、コリメートレンズの可動と、フロントモニタにおける光の干渉による影響の軽減とを、両立させた光ピックアップ装置を提供することである。
【課題を解決するための手段】
【００１４】
本発明は、光ディスクに照射する光量を制御する光ピックアップ装置に向けられている。上記目的を達成するために、本発明の光ピックアップ装置は、波長の光を出射する光源と、光源から出射された光を、焦点距離に応じて平行光、発散光、及び収束光のいずれに変換するコリメートレンズと、コリメートレンズから出力される光の一部を光ディスクに向けて上面で反射し、当該光の残りを上面及び上面と向かい合った下面を透過させるダイクロミラーと、ダイクロミラーを透過した光を検出し、その検出結果に応じて光源から出射される光の量を制御するフロントモニタとを備えている。そして、ダイクロミラーは、コリメートレンズから入射される光の光軸及び光ディスクに向けて出射する光の光軸で形成される平面と、下面の法線ベクトルとが交わる方向に、下面が上面に対して角度φの傾斜を持つことを特徴とする。
【００１５】
互いに異なる波長の光を出射する複数の光源を用いる場合には、複数の光のそれぞれに一意に対応させて、複数のダイクロミラーを設ければよい。この場合、複数のダイクロミラーのいずれか１つが、上記角度φの傾斜を持てばよい。この角度φは、０．０４°以上かつ０．２°以下の範囲の値であることが望ましい。
【００１６】
典型的には、ブルーレイディスク光学系の光ディスクの記録及び再生に適した青色波長の光を出射するＢＤ用光源が用いられる。また、デジタル多用途ディスク光学系の光ディスクの記録及び再生に適した赤色波長の光を出射するＤＶＤ用光源、及びコンパクトディスク光学系の光ディスクの記録及び再生に適した赤外線波長の光を出射するＣＤ用光源と共に、ＢＤ用光源を用いれば、マルチメディア光ピックアップ装置を実現できる。
【発明の効果】
【００１７】
上記本発明によれば、従来ではトレードオフの関係にあったコリメートレンズの可動とフロントモニタでの光の干渉による影響の軽減とを、両立させることができる。また、光源からの光出力を制御して安定した光量を得ることができる。
【図面の簡単な説明】
【００１８】
【図１】本発明の第１の実施形態に係る光ピックアップ装置１の光学的な概略構成を示す図
【図２Ａ】本発明のダイクロミラー１４に関する矢視図及び側面図
【図２Ｂ】従来のダイクロミラー１１４に関する矢視図及び側面図
【図２Ｃ】本発明のダイクロミラー１４に関する他の矢視図及び側面図
【図３Ａ】本発明のダイクロミラー１４における透過光１１ａ及び内面反射光１１ｂの光路例を説明する図
【図３Ｂ】従来のダイクロミラー１１４における透過光１１１ａ及び内面反射光１１１ｂの光路例を説明する図
【図４】フロントモニタ１７の受光部での透過光と内面反射光との角度差Δθと光出力変動量との相関を示す図
【図５】コリメートレンズ１３の位置と角度差Δθとの相関を示す図
【図６】ダイクロミラー１４のくさび角φと角度差Δφとの関係の一例を示す図
【図７】ダイクロミラー１４のくさび角φとＢＤ用対物レンズ１６による非点収差との相関関係を示す図
【図８】本発明の第２の実施形態に係る光ピックアップ装置２の光学的な概略構成を示す図
【図９】本発明の第２の実施形態に係る光ピックアップ装置２の他の光学的な概略構成を示す図
【図１０】従来の光ピックアップ装置１０１の光学的な概略構成を示す図
【図１１】焦点距離Ｌとコリメートレンズ１１３の出力光との関係を説明する図
【発明を実施するための形態】
【００１９】
＜第１の実施形態＞
図１は、本発明の第１の実施形態に係る光ピックアップ装置１の光学的な概略構成を示す図である。図１において、第１の実施形態に係る光ピックアップ装置１は、光源１１と、偏光ダイクロプリズム１２と、コリメートレンズ１３と、ダイクロミラー１４と、波長板１５と、対物レンズ１６と、フロントモニタ１７と、検出レンズ１８と、光検出器１９とを備える。光ディスク５０は、光ピックアップ装置１によって情報が書き込まれたり読み出されたりする記録媒体である。
【００２０】
光源１１は、典型的にはレーザ光源であり、所定の波長を有する光を出射する。具体的には、光ディスク５０がＢＤ光学系の光ディスクである場合には、光源１１は、青色波長領域の波長（約３９５ｎｍ〜４２０ｎｍの範囲、好ましくは４０５ｎｍ）を有する光を出射する。また、光ディスク５０がＤＶＤ光学系の光ディスクである場合には、光源１１は、赤色波長領域の波長（約６４５ｎｍ〜６８５ｎｍの範囲、好ましくは６６０ｎｍ）を有する光を出射する。光ディスク５０がＣＤ光学系の光ディスクである場合には、光源１１は、赤外線波長領域の波長（約７６０ｎｍ〜８１０ｎｍの範囲、好ましくは７８０ｎｍ）を有する光を出射する。
【００２１】
偏光ダイクロプリズム１２は、光源１１から出射された光（拡散光）を偏光及び反射してコリメートレンズ１３に導く。コリメートレンズ１３は、入射する拡散光を平行光に変換する。本発明の主眼でないため図示しないが、このコリメートレンズ１３には、光ディスク５０の記録層上に光の焦点を合わすための可動機構が設けられている。
【００２２】
ダイクロミラー１４は、断面が上底ｄかつ下底ｄ＋Δｄの台形となるくさび形状の四角柱（台形柱）である。このダイクロミラー１４は、コリメートレンズ１３から出射される平行光を上面に受けて、平行光の大半を波長板１５に向けて上面で反射する。また、このダイクロミラー１４は、平行光の一部を、上面を透過させて上面と向かい合う下面からフロントモニタ１７へ向けて出力する。
【００２３】
波長板１５は、ダイクロミラー１４によって反射された平行光を円偏光に変換する。対物レンズ１６は、光ディスク５０の記録層に円偏光の焦点を合わせる。フロントモニタ１７は、ダイクロミラー１４を透過した光を受光して、光源１１の光出力を制御する。なお、フロントモニタ１７の受光結果に従って光源１１の光出力を制御する手法は、本発明の主眼でないため説明及び図示を省略する。光ディスク５０から反射されてくる情報光は、検出レンズ１８を介して、光検出器１９で受光される。
【００２４】
本発明の特徴は、ダイクロミラー１４の下面に設ける傾斜の方向が、従来のダイクロミラー１１４の方向と異なることにある。以下、この特徴について、図２Ａ、図２Ｂ、図３Ａ、及び図３Ｂをさらに用いて詳細に説明する。
図２Ａは、本発明のダイクロミラー１４に関する、図１におけるＡ方向からの矢視図（ａ）及びその側面図（ｂ）である。図２Ｂは、従来のダイクロミラー１１４に関する、図１０におけるＡ方向からの矢視図（ａ）及びその側面図（ｂ）である。
【００２５】
図２Ｂで示されるように、従来のダイクロミラー１１４は、コリメートレンズ１３から入射される光の光軸ｘ及び対物レンズ１１６に向けて出射される光の光軸ｙで形成されるｘｙ平面と、下面の法線ベクトルＮとが平行になる方向に、下面が上面に対して角度θの傾斜を持つように設計されている。つまり、ダイクロミラー１１４は、コリメートレンズ１１３からダイクロミラー１１４までの光路長が異なる光の方向（図２Ｂ中のβ方向）に関して、くさび角θを有している。
【００２６】
これに対し、図２Ａで示されるように、本発明のダイクロミラー１４は、コリメートレンズ１３から入射される光の光軸ｘ及び波長板１５に向けて出射される光の光軸ｙで形成されるｘｙ平面と、下面の法線ベクトルＮとが交わる方向に、下面が上面に対して角度φの傾斜を持つように設計する。つまり、ダイクロミラー１４は、コリメートレンズ１３からダイクロミラー１４までの光路長が同じ光の方向（図２Ａ中のα方向）に関して、くさび角φを有している。なお、くさび角φは、図２Ｃに示す方向に設けてもよい。
【００２７】
図３Ａは、図２Ａにおいて、コリメートレンズ１３及びフロントモニタ１７を含めた構成において、ダイクロミラー１４における透過光１１ａ及び内面反射光１１ｂの光路例を説明する図である。図３Ｂは、図２Ｂにおいて、コリメートレンズ１１３及びフロントモニタ１１７を含めた構成において、ダイクロミラー１１４における透過光１１１ａ及び内面反射光１１１ｂの光路例を説明する図である。
【００２８】
図３Ｂで示されるように、従来の光ピックアップ装置１０１は、コリメートレンズ１１３からダイクロミラー１１４へ平行光が入射される位置関係（ｉ＝ｊ）にある場合（ａ１）には、ダイクロミラー１１４の下面が有するβ方向に角度θの傾斜により、フロントモニタ１１７に届く透過光１１１ａ及び内面反射光１１１ｂは、ｘｙ平面に平行なβ方向に角度差Δθを有する。次に、コリメートレンズ１１３が移動したことで内面反射光１１１ｂが収束してダイクロミラー１１４へ入射される位置関係（ｉ＞ｊ）になった場合（ｂ１）には、フロントモニタ１１７に届く透過光１１１ａ及び内面反射光１１１ｂは、ｘｙ平面に平行なβ方向に角度差Δθを有さなくなる。もちろん、双方の場合とも、傾斜を持たないｘｙ平面に垂直なα方向については角度差は生じない（図３Ｂの（ａ２）及び（ｂ２））。
【００２９】
これに対して、図３Ａで示されるように、本発明の光ピックアップ装置１は、コリメートレンズ１３からダイクロミラー１４へ平行光が入射される位置関係（ｉ＝ｊ）にある場合（ａ１）には、ダイクロミラー１４の下面が有するα方向に角度φの傾斜により、フロントモニタ１７に届く透過光１１ａ及び内面反射光１１ｂは、ｘｙ平面に垂直なα方向に角度差Δφを有する。なお、ｘｙ平面に平行なβ方向には角度差Δθを有さない。次に、コリメートレンズ１３が移動したことで内面反射光１１ｂが収束してダイクロミラー１４へ入射される位置関係（ｉ＞ｊ）になった場合（ｂ１）であっても、フロントモニタ１７に届く透過光１１ａ及び内面反射光１１ｂは、ｘｙ平面に垂直なα方向に角度差Δφを有する。もちろん、双方の場合とも、ｘｙ平面に平行なβ方向については、内面反射の状況変化に伴って何らかの角度差が生じる（図３Ａの（ａ２）及び（ｂ２））。
【００３０】
ここで、ダイクロミラー１４のくさび角φについて考察する。
まず、従来のダイクロミラー１１４においても、フロントモニタ１７における光の干渉による影響を軽減させるために、フロントモニタ１７で生じる干渉縞の本数を増加させて干渉縞の明暗の移動による変動量を小さくする、つまり従来のダイクロミラー１１４のくさび角θを大きくして透過光と内面反射光との角度差Δθを大きくする手法が考えられる。しかしながら、この手法は、フロントモニタ１７の受光部の大きさや従来のダイクロミラー１４の反射率等に依存するため、光学系によって差異が生じる。
【００３１】
図４は、フロントモニタ１７の受光部の大きさを直径０．５ｍｍとし、従来のダイクロミラー１１４の内面反射率を０．５％として、フロントモニタ１７の受光部での透過光と内面反射光との角度差Δθと光出力変動量との相関を示す図である。ドライブ側のシステムや対象とする光メディアにより多少の変化はあるが、干渉による光出力の変動量（ＦＭ変動量）として許容できる量は、１．５％程度である。従って、図４を参照すると、角度差Δθとしては０．１１°以上を確保しなければならない。
【００３２】
ここで、従来のダイクロミラー１１４のくさび角θが０．１°の場合でのコリメートレンズ１３の可動を考える。図５は、焦点距離Ｌを１３ｍｍにした場合のコリメートレンズ１３の位置と角度差Δθとの相関を示す図である。コリメートレンズ１３の位置がセンター位置の場合には、角度差Δθは０．３５°となり、光出力の変動量は許容できている。しかし、コリメートレンズ１３の位置が収束光方向に０．８６ｍｍ可動してしまうと、角度差Δθが０．１１°以下となり、光出力の変動量が許容値を超える。つまり、この例では、コリメートレンズ１３の収束光方向への可動は、０．８６ｍｍ以下である必要があることが分かる。
【００３３】
ＤＶＤ光学系の場合、光ディスクの基材厚は、０．５６ｍｍ〜０．６３ｍｍのばらつきが生じる。このため、コリメートレンズ１３の焦点距離Ｌが１３．０ｍｍ、対物レンズ１６の焦点距離Ｌが２．１ｍｍで、基材厚０．６ｍｍで設計されている場合、コリメートレンズ１３は収束光方向に０．９ｍｍ及び発散光方向に０．６ｍｍ可動すれば、このばらつきを吸収できることになる。言い換えれば、ばらつきを吸収するためには、収束光方向に０．９ｍｍまで移動させる必要がある。
【００３４】
上述の通り、従来のダイクロミラー１１４において設けられるくさび形状の方向では、コリメートレンズ１３を移動させてばらつきを吸収することと、フロントモニタ１７における光出力変動量を許容範囲に収めることとは、トレードオフの関係にあった。このため、最適な制御を行えないという現実があった。
【００３５】
一方、図６に、本発明のダイクロミラー１４のくさび角φと角度差Δφとの関係の一例を示す。図６に示す例では、くさび角φが０．０４°以上で角度差Δφ≧０．１１°を確保することが可能であることが分かる。すなわち、くさび角φが０．０４°以上で、ＤＶＤ光学系においてフロントモニタ１７による光出力制御を安定させることができる。
【００３６】
なお、くさび角φの上限としては、光ディスク５０への往路光がダイクロミラー１４を透過するＢＤ光学系において許容できる非点収差量に依存する。図７は、ダイクロミラー１４のくさび角φとＢＤ用対物レンズ１６による非点収差（ＡＳ）との相関関係を示す図である。ＢＤ光学系では、基材厚１００μｍのＬ０層と基材厚７５μｍのＬ１層とを有する二層ディスクが存在することから、対物レンズ１６はその中間の８５μｍ程度で設計されている。従って、コリメートレンズ１３から出射される光が、Ｌ０層に光の焦点を合わせる時は発散光となり、Ｌ１層に光の焦点を合わせる時は収束光となるように、コリメートレンズ１３を可動させている。このため、ダイクロミラー１４で反射する光も収束光又は発散光であることから、図７に示すようにくさび角φに応じて光ディスク５０の記録層上で非点収差が発生する。他の光学部品や組み立て精度によって発生する収差を考慮すると、ダイクロミラー１４のくさび角φによって発生する非点収差のクライテリアとしては±１５ｍλであり、そのクライテリアを満足するためにはくさび角φは０．２°以下であることが好ましい。
【００３７】
従って、上記内容に基づいてフロントモニタ１７のよる光出力制御の安定性と非点収差の抑制との両立を考慮すると、本発明のダイクロミラー１４のくさび角φは０．０４°以上かつ０．２０°以下であることが好ましい。
【００３８】
以上のように、本発明の第１の実施形態に係る光ピックアップ装置１によれば、ｘｙ平面に垂直なα方向に角度φの傾斜を有するダイクロミラー１４を備えることで、フロントモニタ１７の受光部では、透過光と内面反射光とが常に角度差Δφを有することになる。これにより、従来ではトレードオフの関係にあったコリメートレンズ１３の可動とフロントモニタ１７での光の干渉による影響の軽減とを、両立させることができる。また、光源からの光出力を制御して安定した光量を得ることができる。
【００３９】
＜第２の実施形態＞
上記第１の実施形態は、光ディスク５０への情報書き込み／光ディスク５０からの情報読み出しに使用する光の波長が１つである場合を説明したが、第２の実施形態では、波長が異なる２つの光を使用した光ピックアップ装置を説明する。例えば、フォーマットが異なる２種類以上の光ディスク（ＢＤ光学系とＤＶＤ光学系等）を利用可能とする光ピックアップ装置を実現したい場合に有用である。
【００４０】
図８は、本発明の第２の実施形態に係る光ピックアップ装置２の光学的な概略構成を示す図である。図８において、第２の実施形態に係る光ピックアップ装置２は、第１及び第２の光源１１及び２１と、第１及び第２の偏光ダイクロプリズム１２及び２２と、コリメートレンズ１３と、第１及び第２のダイクロミラー１４及び２４と、第１及び第２の波長板１５及び２５と、第１及び第２の対物レンズ１６及び２６と、フロントモニタ１７と、検出レンズ１８と、光検出器１９とを備える。光ディスク５０は、光ピックアップ装置２によって情報が書き込まれたり読み出されたりする記録媒体である。
【００４１】
本光ピックアップ装置２は、第２の光源２１、第２の偏光ダイクロプリズム２２、第２のダイクロミラー２４、第２の波長板２５、及び第２の対物レンズ２６をさらに備えることが、上述した光ピックアップ装置１と異なる。以下、この異なる構成を中心に光ピックアップ装置２の説明を行う。なお、光ピックアップ装置２において光ピックアップ装置１と同じ構成は、同一の参照符号を付して説明を一部省略する。
【００４２】
第１の光源１１は、所定の波長λ１を有する第１の光を出射する。第２の光源２１は、所定の波長λ２を有する第２の光を出射する。波長λ１は、波長λ２と異なる。第１の偏光ダイクロプリズム１２は、第１の光源１１から出射された第１の光（拡散光）を偏光及び反射してコリメートレンズ１３に導く。同様に、第２の偏光ダイクロプリズム２２は、第２の光源２１から出射された第２の光（拡散光）を偏光及び反射してコリメートレンズ１３に導く。この第１及び第２の偏光ダイクロプリズム１２及び２２は、第１の光と第２の光とを１つの光軸に合成する位置に配置される。
【００４３】
第１のダイクロミラー１４は、上述した台形柱である。第２のダイクロミラー２４は、一般的な四角柱（平板）である。この第１のダイクロミラー１４は、コリメートレンズ１３から平行光として出射される第１及び第２の光を上面に受けて、第１の光の大半を第１の波長板１５に向けて上面で反射する。また、第１のダイクロミラー１４は、第１の光の一部と第２の光の全部を、上面を透過させて下面から第２のダイクロミラー２４へ出力する。第２のダイクロミラー２４は、第１のダイクロミラー１４を透過した第１の光の一部と第２の光の全部を上面に受けて、第２の光の大半を第２の波長板２５に向けて上面で反射する。また、第２のダイクロミラー２４は、第１の光の一部及び第２の光の一部（以下、合わせてモニタ光という）を、上面を透過させて下面からフロントモニタ１７へ向けて出力する。
【００４４】
第１の波長板１５は、第１のダイクロミラー１４によって反射された第１の光を円偏光に変換する。第２の波長板２５は、第２のダイクロミラー２４によって反射された第２の光を円偏光に変換する。第１及び第２の対物レンズ１６及び２６は、光ディスク５０のそれぞれの記録層に円偏光の焦点を合わせる。
【００４５】
以上のように、本発明の第２の実施形態に係る光ピックアップ装置２によれば、波長が異なる２つの光を使用する構成でも、上記第１の実施形態で述べた有用な効果を奏することが可能となる。
【００４６】
なお、上記第２の実施形態では、第１の光を反射する第１のダイクロミラー１４が本発明の特徴的な台形柱である例を説明したが、第２の光を反射する第２のダイクロミラー２４が本発明の特徴的な台形柱であってもよい。つまり、フロントモニタ１７へモニタ光が届くまでの経路上に設置されるダイクロミラーの少なくとも１つが、本発明の特徴的な台形柱であればよい。このような構造にすれば、フロントモニタ１７の受光部で、透過光と内面反射光とに常に角度差Δφを持たせることができる。
【００４７】
また、上記第２の実施形態では、波長が異なる２つの光を使用した光ピックアップ装置２を説明したが、波長が異なる光は３つ以上であっても構わない。この場合には、光源の数だけ、偏光ダイクロプリズム、ダイクロミラー、波長板、及び対物レンズを備えればよい。
【００４８】
さらには、図９に示す光ピックアップ装置３のように、複数の波長の光を出射できる光源３１を使用し、この複数の波長に対応した偏光ダイクロプリズム３２、ダイクロミラー３４、波長板３５、及び対物レンズ３６を設けても構わない。
【産業上の利用可能性】
【００４９】
本発明は、光源からの光出力を制御する光ピックアップ装置等に利用可能であり、特にコリメートレンズの可動とフロントモニタにおける光の干渉による影響の軽減とを両立させて、光源からの光出力を制御して安定した光量を得たい場合等に有用である。
【符号の説明】
【００５０】
１、２、３、１０１  光ピックアップ装置
１１、２１、３１、１１１  光源
１１ａ、１１１ａ  透過光
１１ｂ、１１１ｂ  内面反射光
１２、２２、３２  偏光ダイクロプリズム
１３、１１３  コリメートレンズ
１４、２４、３４、１１４  ダイクロミラー
１５、２５、３５  波長板
１６、２６、３６、１１６  対物レンズ
１７、１１７  フロントモニタ
１８、１１８  検出レンズ
１９、１１９  光検出器
５０、１５０  光ディスク
θ、φ  くさび角
Δθ、Δφ  角度差
【図１】
2011028831.tif 000003
【図２Ａ】
2011028831.tif 000004
【図２Ｂ】
2011028831.tif 000005
【図２Ｃ】
2011028831.tif 000006
【図３Ａ】
2011028831.tif 000007
【図３Ｂ】
2011028831.tif 000008
【図４】
2011028831.tif 000009
【図５】
2011028831.tif 000010
【図６】
2011028831.tif 000011
【図７】
2011028831.tif 000012
【図８】
2011028831.tif 000013
【図９】
2011028831.tif 000014
【図１０】
2011028831.tif 000015
【図１１】
2011028831.tif 000016